(57)【要約】【課題】切除したリブ状部の痕跡の影響による歪みが曲げ部の表面に生じることなく曲げ部が形成され、極めて良好な外観を得ることができるフレーム部材を提供する。【解決手段】内部に機器本体を収容する筐体の一部を構成するフレーム部材１であって、帯板状の基部６と、基部６の一方面に突出するリブ状部７とを備える。リブ状部７を内側として曲げ加工された曲げ部５を所定位置に設ける。曲げ部５の曲げ方向の曲げ始端部１１から曲げ終端部１２にリブ状部７を切除した切除部１０を設ける。切除位置に対応して曲げ方向に延びる凹部１５を基部６の内面側に設ける。【選択図】図３
2006183906.tif 000002
【特許請求の範囲】
【請求項１】
内部に機器本体を収容する筐体の一部を構成するフレーム部材であって、
金属製の帯板状の基部と、該基部の一方面に突出しその長手方向に沿って延設されたリブ状部とを備え、該リブ状部を内側とし基部の長手方向を曲げ方向とする曲げ部を所定位置に備え、
前記曲げ部は、その曲げ方向の少なくとも曲げ始端部から曲げ終端部において前記リブ状部が切除されていると共に、該切除位置に対応して曲げ方向に延びる凹部が前記基部の内面側に形成されていることを特徴とするフレーム部材。
【発明の詳細な説明】
【技術分野】
【０００１】
本発明は、内部に機器本体を収容する筐体の一部を構成するフレーム部材に関する。
【背景技術】
【０００２】
内部に機器本体を収容する筐体の一部として使用されるフレーム部材は、表側面により筐体の外壁面の一部を構成する帯板状の基部と、該基部の裏側面にその長手方向に沿って延設されたリブ状部とを備え、筐体の形状に沿って所定位置において曲げ加工された曲げ部が形成されている。リブ状部は、筐体の内部に機器本体の構成部品等を連結するため或いは基部を補強するために設けられており、この種のフレーム部材は、アルミニウム合金を材料とする押出し成形によって形成される。
【０００３】
ところで、この種のフレーム部材は、所定位置に曲げ部を形成するときに、基部の裏側に位置するリブ状部に皺が発生する。このため、皺付きを軽減するための曲げ加工方法が提案されている（例えば、特許文献１参照）。
【０００４】
しかし、基部の表側面により筐体の外壁面の一部を構成するときには、リブ状部に対応する表面には曲げられたリブ状部の影響により歪みが発生し、この歪みが視認されることによって外観を損ねる不都合がある。
【０００５】
そこで、曲げ部を形成する部分においてリブ状部を切り取ることが考えられる。しかし、これによっても、切り取られる前にあったリブ状部の痕跡に沿って僅かな歪みが生じ、この歪みによる基部の表側への影響を無くすことが困難である不都合があった。
【特許文献１】特開平８−９９１２８号公報
【発明の開示】
【発明が解決しようとする課題】
【０００６】
かかる不都合を解消して、本発明は、切除したリブ状部の痕跡の影響による歪みが曲げ部の表面に生じることなく曲げ部が形成され、極めて良好な外観を得ることができるフレーム部材を提供することを目的とする。
【課題を解決するための手段】
【０００７】
かかる目的を達成するために、本発明は、内部に機器本体を収容する筐体の一部を構成するフレーム部材であって、金属製の帯板状の基部と、該基部の一方面に突出しその長手方向に沿って延設されたリブ状部とを備え、該リブ状部を内側とし基部の長手方向を曲げ方向とする曲げ部を所定位置に備え、前記曲げ部は、その曲げ方向の少なくとも曲げ始端部から曲げ終端部において前記リブ状部が切除されていると共に、該切除位置に対応して曲げ方向に延びる凹部が前記基部の内面側に形成されていることを特徴とする。
【０００８】
本発明による前記曲げ部は、前記リブ状部が切除されているだけでなく、前記凹部が形成されている。リブ状部の切除位置は少なくとも曲げ始端部から曲げ終端部に至る位置、即ち、曲げ部が形成されたときに湾曲する範囲とされている。更に、前記凹部は、折り目線のように曲げ方向に直交するものではなく、曲げ方向に延びて設けられ、更に詳しくは、切除されることによって形成されるリブ状部の切除端縁の間に、リブ状部の延設線上に形成される。これにより、曲げ部を形成したときに、皺付きが発生するリブ状部が曲げ部に存在せず、皺付きの影響が基部の表面に生じることが確実に防止できる。しかも、前記凹部が、切除されたリブ状部に対応して曲げ始端部から曲げ終端部にわたって形成されているので、リブ状部の痕跡が基部の裏面に全く残されていないだけでなく、前記凹部において基部の肉厚が薄くされて曲げ応力を良好に分散することができるので、リブ状部の痕跡の影響が基部の表面に形成されることない。これによって、基部の表面に歪みを生じさせることなく曲げ部を形成することができ、フレーム部材として極めて良好な外観を得ることができる。
【発明を実施するための最良の形態】
【０００９】
本発明の一実施形態を図面に基づいて説明する。図１は本実施形態のフレーム部材を採用した温風暖房機の斜視図、図２は本実施形態のフレーム部材を示す斜視図、図３は図２のフレーム部材の曲げ部を示す説明的斜視図、図４は図３のIV−IV線断面説明図、図５は押出し成形されたフレーム部材の部分的斜視図、図６は凹部を示すフレーム部材の部分的斜視図である。
【００１０】
本実施形態のフレーム部材１は、図１に示すように、温風暖房機２の筐体３の一部を構成しており、筐体３の内部においては、図示しない暖房機本体の一部を支持している。フレーム部材１は、アルミニウム合金により形成されており、図２に示すように、上部及び両側部に位置する平坦な外壁構成部４と、複数の曲げ部５とを備えている。
【００１１】
更に詳しく説明すれば、フレーム部材１は、図３に一部を示すように、帯板状の基部６と、該基部６の裏側に突出し、該基部６の長手方向に延設されたリブ状部７とを備えている。基部６の表側面は、筐体３として外部に露出され、該基部６の両側側縁には板厚を表現するためのフランジ部８が形成されている。リブ状部７は、図２に示すように、複数のネジ孔９等が形成されて、図示しない暖房機本体の空気加熱部や送風部等をネジ止め支持できるように設けられる。
【００１２】
曲げ部５は、図３に示すように、後述の曲げ加工工程に先立ってリブ状部７の一部が切除された切除部１０を裏側に備えている。該切除部１０は、曲げ始端部１１から曲げ終端部１２にかけて形成されている。更に、該切除部１０によって形成されたリブ状部７の切断端縁１３，１４間に位置する基部６の裏側には、該切除部１０に沿って旋設された凹部１５が形成されている。図４に示すように、該凹部１５によって、該凹部１５に対応する位置の基部６は肉薄とされている。
【００１３】
次に、本実施形態のフレーム部材１の製造工程を説明する。図５に示すように、先ず、押出し加工によって形成された帯状のアルミニウム合金製素材を前記筐体３を囲う長さに切断する。次いで、曲げ部５に対応する位置のリブ状部７を切除して切除部１０を形成する。続いて、切除部１０に対応する基部６の裏側に凹部１５を形成する。該凹部１５は切除部１０が形成される前のリブ状部７が存在した部分に対応して、基部６の長手方向に沿って延びるように形成される。
【００１４】
そして、切除部１０及び凹部１５が形成されている位置において、図示しない曲げダイスを備える加工装置により曲げ加工を施す（前記曲げ加工工程）。このとき、本実施形態のフレーム部材１においては、図２に示すように、４つの曲げ部５を備えるものであるため、先ず、下部に位置する一対の曲げ部５を形成した後、上部に位置する一対の曲げ部５を形成する。
【００１５】
このように、本実施形態のフレーム部材１は、前記切除部１０が曲げ始端部１１から曲げ終端部１２に至る位置、即ち、曲げ部５が形成されたときに湾曲する範囲に形成さているので、曲げ部５を形成したときのリブ状部７の不用意な変形がないだけでなく、曲げ加工が極めて容易に行える。更に、前記凹部１５が切除部１０に形成されていることによって、曲げ部５においては切除されたリブ状部７の痕跡が基部６の裏側に残余しない。しかも、凹部１５によって曲げ部５に位置する基部６の肉厚が薄く形成されているので、曲げ応力が凹部１５において良好に分散され、基部６の表側面にリブ状部７の影響が波及されることを確実に防止することができる。更にまた、凹部１５は、例えば、折り目線のように基部６の幅方向に延設されて曲げ部５の曲げ方向に直交するものではなく、基部６の長手方向に沿って曲げ部５の曲げ方向に延設されているので、曲げ加工によって急激に折れ曲がって角部が形成される不都合はなく、図３に示すように、比較的曲率の大きな湾曲形状の曲げ部５を容易に形成することができる。
【００１６】
このように、本実施形態のフレーム部材１においては、基部６の表面に歪みを生じさせることなく曲げ部５が形成されるので、フレーム部材１を温風暖房機２等の機器の筐体３に採用して、極めて良好な外観を得ることができる。
【図面の簡単な説明】
【００１７】
【図１】本発明の一実施形態のフレーム部材を採用した温風暖房機の斜視図。
【図２】本実施形態のフレーム部材を示す斜視図。
【図３】図２のフレーム部材の曲げ部を示す説明的斜視図。
【図４】図３のIV−IV線断面説明図。
【図５】押出し成形されたフレーム部材の部分的斜視図。
【図６】凹部を示すフレーム部材の部分的斜視図。
【符号の説明】
【００１８】
１…フレーム部材、３…筐体、５…曲げ部、６…基部、７…リブ状部、１０…切除部（切除位置）、１１…曲げ始端部、１２…曲げ終端部、１５…凹部。
【図１】
2006183906.tif 000003
【図２】
2006183906.tif 000004
【図３】
2006183906.tif 000005
【図４】
2006183906.tif 000006
【図５】
2006183906.tif 000007
【図６】
2006183906.tif 000008